(57)【要約】【課題】放送信号等の映像表示装置で表示されている映像を主画面の映像とし、かつ、外部において生成された映像を副画面の映像とする二画面の映像を、表示装置内部の構造を変更すること無しに自動的に最適にレイアウトされた一画面で表示する。【解決手段】映像表示装置１００は、アンテナ端子１０１及び外部入力端子１０２〜１０４から入力された映像信号のうち、どれか１つを選択して主画面の映像とする。映像生成装置２００は、映像表示装置１００にて副画面として表示される映像信号を生成して副画面入力端子１０５に供給すると同時に、コマンド入出力端子１０６に制御信号を送り、映像表示装置１００の主画面の表示方法を制御する。これにより、映像表示装置１００は、上記の主画面の映像に、副画面入力端子１０５に入力された副画面の映像を合成した映像を、自動的に最適にレイアウトされた一画面の映像として表示パネル１２８に表示する。【選択図】図１
2010102053.tif 000002
【特許請求の範囲】
【請求項１】
映像表示装置が副画面映像として表示する映像信号を生成する映像生成手段と、
前記映像表示装置から、その映像表示装置が主画面映像として表示する映像信号の縦横比の情報を少なくとも含む表示装置の状態情報を取得するコマンド受信手段と、
イベントに基づいて前記映像生成手段に前記副画面映像として表示する映像信号を生成させるイベント処理手段と、
前記表示装置の状態情報を基に、前記映像生成手段により生成された前記副画面映像として表示する映像信号を、前記映像表示装置が表示している主画面映像と所定のレイアウト関係となるように加工した副画面映像信号を前記映像表示装置へ出力すると共に、前記映像表示装置の前記主画面映像及び前記副画面映像の位置並びにサイズの情報を含む画面レイアウト情報を生成する映像構成手段と、
前記画面レイアウト情報に基づいて、前記映像表示装置が表示する前記主画面映像及び前記副画面映像の位置並びにサイズを制御するためのコマンドを生成して前記映像表示装置へ出力するコマンド生成手段と、
を有することを特徴とする映像生成装置。
【請求項２】
前記コマンド受信手段は、前記映像表示装置から、この映像表示装置がリモコンにより操作されたことを示す情報であるリモコンイベント信号を前記映像表示装置から受信する機能を更に有し、
前記映像構成手段は、前記コマンド受信手段から前記リモコンイベント信号が入力された時は、そのリモコンイベント信号に対応した前記画面レイアウト情報を生成することを特徴とする請求項１記載の映像生成装置。
【請求項３】
映像信号を表示する表示部を備える映像表示装置において、
外部から入力される外部入力映像信号と前記映像表示装置自身が生成する生成映像信号とのうちから選択した一の映像信号を主画面映像として表示する映像信号とする入力状態管理手段と、
前記映像表示装置自身における映像表示のレイアウトを制御するための情報を含む第１のコマンドを受信すると共に、前記映像表示装置自身が表示する主画面映像の縦横比を少なくとも含む表示装置の状態情報を含む第２のコマンドを送信するコマンド送受信手段と、
副画面映像として表示する映像信号を受信する副画面映像受信手段と、
受信した前記第１のコマンドに基づいて、前記主画面映像として表示する映像信号に対して、映像サイズ及び表示位置を決定するとともにスキャン変換を行った主画面映像信号を生成する主画面映像変換手段と、
受信した前記第１のコマンドに基づいて、前記副画面映像として表示する映像信号に対して、映像サイズ及び表示位置を決定するとともにスキャン変換を行った副画面映像信号を生成する副主画面映像変換手段と、
前記主画面映像信号及び前記副画面映像信号を合成した合成映像信号を生成して、前記表示部に供給する画面合成手段と、
を有することを特徴とする映像表示装置。
【請求項４】
外部から制御信号を受信する制御信号受信手段と、
前記制御信号が、前記主画面映像に対する制御信号であるか、前記副画面映像に対する制御信号であるかに応じて振り分けを行う制御信号振り分け手段と、
前記制御信号振り分け手段で振り分けられた前記副画面映像に対する制御信号に基づいて、イベントを示す信号を生成して外部装置へ送信する送信手段と
を更に有することを特徴とする請求項３記載の映像表示装置。
【発明の詳細な説明】
【技術分野】
【０００１】
本発明は映像生成装置及び映像表示装置に係り、特に一つの画面内に、主画面の映像と同時に表示される副画面の映像信号を生成する映像生成装置、及び、この映像生成装置で生成された映像信号を副画面で主画面の映像と同時に表示する映像表示装置に関する。
【背景技術】
【０００２】
テレビ受像機は、一般に放送番組の映像を表示するだけでなく、ＤＶＤ(Digital Versatile Disc)レコーダーなどの記録再生装置や、ＰＣ（パーソナルコンピュータ）、家庭用ゲーム機などから出力される映像信号を、外部入力端子を介して入力させることにより表示することができる。更に、テレビ受像機は、上記の各映像にとどまらず、テレビモニター機能付きドアホン（以下、単にドアホンと呼ぶ）やテレビ電話など、種々の情報端末の映像を表示するようになった。
【０００３】
しかし、種々の情報端末から出力される映像を表示する場合、ユーザは、必ずしも今まで表示していたテレビ放送の映像や記録再生装置の再生映像を一旦非表示として種々の情報端末から出力される映像に切り換えて表示することを望まない場合が多い。例えば、ユーザは、ドアホンから、玄関先に誰かが来たことが通知された場合、現在見ていたテレビ放送の映像や記録再生装置の再生映像を引き続いて見ながら、玄関の映像が見られる方がよい。また、インターネットからニュースや天気予報の情報を取得し、表示する情報端末の場合においても、ユーザは、表示しているテレビ放送の映像を消さずに、情報端末から出力されるニュースや天気予報の情報が見られる方がよい。
【０００４】
そこで、最近では、複数の放送番組の映像を同時に見たり、放送番組の映像を見ながら、外部入力端子から入力される映像を見たりすることが可能な、２画面同時表示機能のあるテレビ受像機が実現されている（例えば、特許文献１、非特許文献１参照）。特許文献１は、２画面表示の際の画面サイズを切り替えることで、主画面、補助画面を見易く表示する映像表示装置を開示している。また、非特許文献１は、ドアホンから出力される映像を、放送番組の映像と同時に見ることができる映像表示システムを開示している。
【０００５】
【特許文献１】特開２００５−２０７４３号公報
【非特許文献１】松下電器産業株式会社、テレビドアホン総合カタログ（２００８年春）
【発明の開示】
【発明が解決しようとする課題】
【０００６】
しかしながら、特許文献１や非特許文献１に記載された従来の映像表示装置や映像表示システムでは、ＰｉｎＰ（Picture in Picture）で２画面表示にした場合は、片方の画面がもう片方の画面の一部を隠してしまい、全体を表示することができない。また、２画面を別に表示する場合は、映像表示装置の画面端部などに表示に使われない領域が存在してしまうなど、表示画面の大きさに合わせた表示が困難である。
【０００７】
また、特許文献１に記載の従来の映像表示装置では、画面の切り替えや２画面表示の位置及びサイズは、ユーザがリモコンやスイッチにより指定していたため、非同期の入力切り替えが困難である。例えば、ドアホンを外部入力端子に接続した場合、ユーザは、常に２画面モードにして放送番組の映像とドアホンからの映像を同時に見続けるか、ドアホンチャイムが鳴った時に、リモコンで画面表示を２画面モードに切り替えるかする必要がある。
【０００８】
一方、非特許文献１に記載された従来の映像表示システムでは、特定のドアホンに対するアプリケーションをテレビ受像機に搭載しておけば、リモコンで指示することなしに、自動的にドアホンの映像を見ることができる。しかし、これを実現するためには、特定のドアホンに対するアプリケーションをテレビ受像機に組み込む必要がある。また、種々の
ドアホンや記録再生装置（以下、映像生成装置と呼ぶ）に対応するためには、映像生成装置毎にアプリケーションを開発し、テレビ受像機に組み込む必要がある。また、この場合、映像生成装置から出力する映像の映像サイズを予めテレビ受像機が知っている必要があり、映像生成装置の映像出力の仕様が変わる度にテレビのアプリケーションを修正する必要がある。
【０００９】
本発明は以上の点に鑑みなされたもので、放送番組の映像など既に表示されている映像と外部から新たに入力される映像との２つの映像を、表示装置内部の構造を変更すること無しに、自動的に最適にレイアウトして一画面で表示することを可能にする映像生成装置及び映像表示装置を提供することを目的とする。
【課題を解決するための手段】
【００１０】
上記の目的を達成するため、第１の発明の映像生成装置は、映像表示装置が副画面映像として表示する映像信号を生成する映像生成手段と、映像表示装置から、その映像表示装置が主画面映像として表示する映像信号の縦横比の情報を少なくとも含む表示装置の状態情報を取得するコマンド受信手段と、イベントに基づいて映像生成手段に副画面映像として表示する映像信号を生成させるイベント処理手段と、表示装置の状態情報を基に、映像生成手段により生成された副画面映像として表示する映像信号を、映像表示装置が表示している主画面映像と所定のレイアウト関係となるように加工した副画面映像信号を映像表示装置へ出力すると共に、映像表示装置の主画面映像及び副画面映像の位置並びにサイズの情報を含む画面レイアウト情報を生成する映像構成手段と、画面レイアウト情報に基づいて、映像表示装置が表示する主画面映像及び副画面映像の位置並びにサイズを制御するためのコマンドを生成して映像表示装置へ出力するコマンド生成手段と、を有することを特徴とする。
【００１１】
また、上記の目的を達成するため、第２の発明の映像生成装置は、第１の発明のコマンド受信手段を、映像表示装置から、この映像表示装置がリモコンにより操作されたことを示す情報であるリモコンイベント信号を映像表示装置から受信する機能を更に有する構成とし、映像構成手段を、コマンド受信手段からリモコンイベント信号が入力された時は、そのリモコンイベント信号に対応した画面レイアウト情報を生成する構成としたことを特徴とする。
【００１２】
また、上記の目的を達成するため、第３の発明の映像表示装置は、映像信号を表示する表示部を備える映像表示装置において、外部から入力される外部入力映像信号と映像表示装置自身が生成する生成映像信号とのうちから選択した一の映像信号を主画面映像として表示する映像信号とする入力状態管理手段と、映像表示装置自身における映像表示のレイアウトを制御するための情報を含む第１のコマンドを受信すると共に、映像表示装置自身が表示する主画面映像の縦横比を少なくとも含む表示装置の状態情報を含む第２のコマンドを送信するコマンド送受信手段と、副画面映像として表示する映像信号を受信する副画面映像受信手段と、受信した第１のコマンドに基づいて、主画面映像として表示する映像信号に対して、映像サイズ及び表示位置を決定するとともにスキャン変換を行った主画面映像信号を生成する主画面映像変換手段と、受信した第１のコマンドに基づいて、副画面映像として表示する映像信号に対して、映像サイズ及び表示位置を決定するとともにスキャン変換を行った副画面映像信号を生成する副主画面映像変換手段と、主画面映像信号及び副画面映像信号を合成した合成映像信号を生成して、表示部に供給する画面合成手段と、を有することを特徴とする。
【００１３】
また、上記の目的を達成するため、第４の発明の映像表示装置は、第３の発明の構成に加えて、外部から制御信号を受信する制御信号受信手段と、制御信号が、主画面映像に対する制御信号であるか、副画面映像に対する制御信号であるかに応じて振り分けを行う制御信号振り分け手段と、制御信号振り分け手段で振り分けられた副画面映像に対する制御信号に基づいて、イベントを示す信号を生成して外部装置へ送信する送信手段とを更に有することを特徴とする。
【発明の効果】
【００１４】
本発明によれば、放送番組の映像など既に表示されている映像と外部から新たに入力される映像との２つの映像を、表示装置内部の構造を変更すること無しに、自動的に最適にレイアウトして一画面で表示することが可能となる。
【発明を実施するための最良の形態】
【００１５】
次に、本発明の実施の形態について図面を参照して詳細に説明する。
【００１６】
図１は、本発明になる映像生成装置及び映像表示装置を含む全体システムの構成図を示す。同図において、映像表示装置１００は、放送受信用のアンテナ端子１０１、外部入力端子１０２〜１０４、副画面入力端子１０５及びコマンド入出力端子１０６を有し、アンテナ端子１０１にはアンテナ３５０が接続されている。また、映像表示装置１００は、外部入力端子１０２にＤＶＤ再生機３００が接続され、外部入力端子１０３にゲーム機３１０が接続されている。ＤＶＤ再生機３００は、ＤＶＤに記録されている映像を含む情報信号を再生する再生装置である。外部入力端子１０２〜１０４としては、コンポジット端子、Ｓ端子、コンポーネント端子、Ｄ端子、ＨＤＭＩ端子など、規格化された多くの種類の端子がある。映像表示装置１００は、アンテナ端子１０１及び外部入力端子１０２〜１０４から入力された映像信号のうち、どれか１つをＴＶリモコン１９０からの信号により選択し、主画面の映像として表示パネル１２８に表示する。
【００１７】
映像生成装置２００は、副画面入力端子１０５、コマンド入出力端子１０６を介して映像表示装置１００に接続されている。映像生成装置２００は、映像表示装置１００の表示パネル１２８に副画面として表示される映像信号を生成して副画面入力端子１０５に供給すると同時に、コマンド入出力端子１０６に制御信号を送り、映像表示装置１００の主画面の表示方法を制御する。
【００１８】
次に、図１に示した映像生成装置２００と映像表示装置１００の各実施の形態の構成及び動作について説明する。
【００１９】
（第１の実施の形態）
図２は、本発明になる映像生成装置の第１の実施の形態のブロック図、図３〜図７は映像生成装置の動作説明のための図、図８は、本発明になる映像表示装置の第１の実施の形態のブロック図を示す。図２に示す第１の実施の形態の映像生成装置２００ａは、図１に示した映像生成装置２００に相当する映像生成装置である。図８に示す第１の実施の形態の映像表示装置１００ａは、図１に示した映像表示装置１００に相当する映像表示装置である。
【００２０】
まず、映像生成装置２００ａについて説明する。図２に示すように、映像生成装置２００ａは、映像表示の更新のきっかけになるイベントを処理するイベント処理部２０１、表示する映像信号を生成する映像生成部２０２、生成した映像をレイアウトする映像構成部２０３、後述の映像表示装置１００ａのコマンド通信部１２３と通信するコマンド通信部２０６、コマンド通信部２０６から、映像表示装置１００ａの表示状態情報を取得するためのコマンドを受信するコマンド受信部２０４、主画面のレイアウトを通知するためのコマンドを生成するコマンド生成部２０５、映像出力端子２１０、コマンド入出力端子２１１から構成される。
【００２１】
従来の映像生成装置は図１で示されるＤＶＤ再生機３００やゲーム機３１０のように、映像信号を生成して、その映像を単に出力するという構成であった。すなわち、図２のブロック図で説明すると、映像生成部２０２と映像出力端子２１０のみから構成されていた。これに対し、本実施の形態の映像生成装置２００ａは、イベント処理部２０１、映像構成部２０３、コマンド通信部２０６、コマンド受信部２０４、コマンド生成部２０５の各ブロックが従来の映像生成装置に追加されている。また、映像出力端子２１０は、映像表示装置１００ａの副画面入力端子１０５に接続され、コマンド入出力端子２１１は、映像表示装置１００ａのコマンド入出力端子１０６に接続される。
【００２２】
ここで、「イベント」とは、映像生成装置２００ａが映像信号を生成するきっかけになるイベントである。イベント及びそのイベントをきっかけとした映像生成の例としては、（１）ドアホンのチャイム押下イベントによる、ドアホン映像の生成、（２）ネットワークに接続されている選択機からの選択終了イベントによるメッセージ映像の生成、（３）インターネットからのＲＳＳメッセージ受信イベントによる、ウェブ（Ｗｅｂ）ページ映像の生成、（４）テレビ電話の着信による相手映像の生成、（５）指定時刻が到来したことを示すイベントによる時刻メッセージ映像の生成、などが考えられる。
【００２３】
なお、イベント及びそのイベントをきっかけとした映像生成の他の例として、映像生成装置２００ａのリモコンによる電源オンをイベントとした映像生成装置２００ａの動作開始がある。また、コマンド受信部２０４を介して映像表示装置１００ａからイベントとなり得るコマンドを受信してもよい。この場合は、映像表示装置１００ａのリモコン１９０により、映像生成装置２００ａの電源をオンにしたり、状態情報を変えたりすることができる。
【００２４】
イベント処理部２０１は、イベントを受けて、それを映像生成部２０２及び映像構成部２０３に通知する。映像生成部２０２は、映像表示装置１００ａに副画面として表示するための映像信号を生成する。例えば、映像生成部２０２は、イベント処理部２０１から入力されたイベント情報が、ドアホンのチャイム押下イベントであった場合は、ドアホン映像信号を生成し、上記イベント情報が選択機からの終了メッセージの場合は、メッセージ文章やメッセージのイラストを生成する。
【００２５】
映像構成部２０３は、イベント処理部２０１から入力されたイベント情報と、コマンド受信部２０４から入力された映像表示装置１００ａの状態情報とを基に、映像表示装置１００ａに主画面として表示される映像に対して、映像生成部２０２で生成された映像が、副画面として適切なレイアウトで表示されるように、主画面及び副画面の位置並びにサイズ（レイアウト情報）を決定する。そして、この決定したレイアウト情報をコマンド生成部２０５に送る。また、映像構成部２０３は、映像生成部２０２で生成された映像を、映像出力端子２１０を介して出力する。
【００２６】
コマンド受信部２０４は、映像表示装置１００ａの状態情報を受信し、映像構成部２０３に通知する。コマンド生成部２０５は、映像構成部２０３で決定された映像表示装置１００ａの主画面及び副画面の位置並びにサイズからコマンドを生成し、コマンド通信部２０６に通知する。コマンド通信部２０６は、コマンド入出力端子２１１を介して映像表示装置１００ａとの間で画面レイアウトに関するコマンド（画面のレイアウトコマンド）などをやり取りする。
【００２７】
図３は、画面のレイアウトコマンドの一例を示す。同図に示すように、このコマンドは、主画面、副画面を１画面に合成する際の主画面と副画面の各表示位置（左上の座標値）、表示サイズを指定する。また、画面のレイアウトコマンドには、（１）主画面優先、（２）副画面優先、（３）主画面表示、（４）副画面表示、の合成モードが含まれる。主画面優先、副画面優先の場合は、１画面合成時に主画面と副画面が重なった場合、どちらを手前に出すかを示す。主画面表示、副画面表示の場合はその画面のみが表示される。
【００２８】
次に、図４のフローチャートを参照して図２の映像生成装置２００ａの動作について説明する。まず、コマンド受信部２０４は、映像表示装置１００ａから送信されたコマンドをコマンド入出力端子２１１及びコマンド通信部２０６を介して受信し、映像表示装置１００ａの状態情報を取得する（ステップＳ１）。映像表示装置１００ａの状態情報は、図５に示すように、主画面の水平方向の長さと垂直方向の長さとの比（以下、縦横比という）が１６：９であるか４：３であるかの情報、映像表示装置１００ａの電源がオン（ＯＮ）であるかオフ（ＯＦＦ）であるかの情報、及び副画面表示が許可されているか否かの情報からなる。
【００２９】
なお、映像表示装置１００ａの電源が入っていない場合は、映像表示装置１００ａのコマンド入出力端子１０６から明示的に信号を取得することができない場合もある。このような場合は、コマンド受信部２０４は、コマンド通信部２０６が映像表示装置１００ａから信号を受信できないことから、電源オフであるという状態情報を生成し、映像構成部２０３に送る。また、例えば、ユーザが映像表示装置１００ａの主画面で、ＤＶＤ再生機３００で再生されている映画を見ている時、映画に集中するために、外部の映像生成装置２００ａから非同期に２画面に変更したくない場合がある。そのために、コマンド受信部２０４は、映像表示装置１００ａの状態情報として、副画面表示を許可するかしないかの情報を取得する
映像構成部２０３は、コマンド受信部２０４から通知された映像表示装置１００ａの状態情報に基づいて、映像生成装置１００ａの電源がＯＮであるか否か、及び副画面表示が許可されているか否かを判定する（ステップＳ２、Ｓ３）。映像構成部２０３は、映像表示装置１００ａの電源がＯＦＦである場合（ステップＳ２のＮｏ）、又は副画面表示が許可されていない場合（ステップＳ３のＮｏ）には、映像出力端子２１０に向けて映像出力を行わないので、映像表示装置１００ａでの表示は行わない（ステップＳ４）。また、上記の場合は、映像構成部２０３は、コマンド通信部２０６に対してのコマンドも発行しない。
【００３０】
一方、映像構成部２０３は、映像表示装置１００ａの電源がＯＮであり（ステップＳ２のＹｅｓ）、かつ、副画面表示が許可されている場合（ステップＳ３のＹｅｓ）には、映像表示装置１００ａの状態情報から主画面縦横比の情報を取得し（ステップＳ５）、それをもとにレイアウトを生成する（ステップＳ６）。このステップＳ６の映像構成部２０３によるレイアウト生成は、映像表示装置１００ａで表示される主画面の映像に対して、映像生成部２０２で生成された副画面の映像信号が適切なレイアウトで表示されるように映像信号を決定することと、主画面及び副画面のレイアウト情報（主画面及び副画面の位置並びにサイズ）を生成することからなる。なお、副画面の映像信号のレイアウトの決定には、後述するように副画面の映像信号を加工する場合と、加工しない場合とがある。
【００３１】
続いて、コマンド生成部２０５は、主画面及び副画面のレイアウト情報に基づいて、主画面、副画面制御のコマンドを生成する（ステップＳ７）。そして、映像生成装置２００ａは、ステップＳ６で生成したレイアウトの副画面の映像と、ステップＳ７で生成した主画面、副画面制御のコマンドとを映像表示装置１００ａへ出力して処理を終了する（ステップＳ８）。
【００３２】
上記のレイアウトは、映像生成装置２００ａの機能により、どのように決めてもよい。
ここでは、レイアウトの２つの例について説明する。
【００３３】
図６は、レイアウトの第１の例を示す。この例では映像生成装置２００ａは、インターネットから取得した天気、気温、ニュースの各データに対応する副画面の映像信号を生成する。これらの副画面の映像は、主画面に重ならないように映像構成部２０３でレイアウトされる。主画面の縦横比が１６：９か４：３かにより、レイアウトのされ方は異なる。副画面の映像は、主画面の映像と重ならず、かつ、適切なレイアウトで映像表示装置１００ａにて表示される。
【００３４】
図６（Ａ）は、主画面の縦横比が１６：９のときに映像構成部２０３により生成された副画面を示す。図６（Ｂ）は、主画面の縦横比が４：３のときに映像構成部２０３により生成された副画面を示す。映像構成部２０３は、入力された副画面の映像信号に対して、主画面の縦横比に応じて図６（Ａ）又は（Ｂ）に示すように、適切なレイアウトに決定（加工）した副画面の映像信号を生成し、その映像信号を映像出力端子２１０から映像表示装置１００ａの副画面入力端子１０５に入力する。なお、図６（Ｃ）、（Ｄ）は、それぞれ縦横比が１６：９、４：３のときの主画面を示す。
【００３５】
また、映像構成部２０３は、上記の生成した副画面の映像信号が後述の映像表示装置１００ａで表示される領域を示す主画面及び副画面のレイアウト情報をコマンド生成部２０５に送る。コマンド生成部２０５は、上記の主画面及び副画面のレイアウト情報に基づいて、例えば、図６（Ｅ）又は（Ｆ）に示すコマンドを生成する。図６（Ｅ）、（Ｆ）は、主画面の縦横比が１６：９と４：３のときの各コマンド例である。
【００３６】
図６（Ｅ）、（Ｆ）に示す各コマンドは、図３にも示したように、左から右へ順番に合成モード、主画面表示位置（左上の座標値）、主画面表示サイズ、副画面表示位置（左上の座標値）、副画面表示サイズの各項目を示しており、ここでは、いずれも合成モードは主画面優先モードとなっている。合成モードが主画面優先モードの場合、主画面が副画面の手前に合成される画面となる。従って、映像構成部２０３は、合成モードが主画面優先モードの場合、単に主画面で描かれる領域を避けてレイアウトした副画面の映像信号を生成すればよい。
【００３７】
コマンド通信部２０６は、コマンド生成部２０５で生成された図６（Ｅ）又は（Ｆ）に示すコマンドを、コマンド入出力端子２１１から映像表示装置１００ａのコマンド入出力端子１０６に供給する。これにより、映像表示装置１００ａの表示パネル１２８には、主画面の縦横比が１６：９のときは、図６（Ａ）に示す副画面の映像と同図（Ｃ）に示す主画面の映像とを合成した同図（Ｇ）に示す合成画面の映像が表示される。また、映像表示装置１００ａの表示パネル１２８には、主画面の縦横比が４：３のときは、図６（Ｂ）に示す副画面の映像と同図（Ｄ）に示す主画面の映像とを合成した同図（Ｈ）に示す合成画面の映像が表示される。
【００３８】
図７は、レイアウトの第２の例を示す。この例では、映像構成部２０３は、単に映像生成部２０２が生成した副画面の映像信号を加工することなくそのまま映像出力端子２１０に送る。一方、コマンド生成部２０５は、主画面と副画面のレイアウトを示すコマンドを生成し、そのコマンドをコマンド通信部２０６を経てコマンド入出力端子２１１に送る。
【００３９】
図７（Ａ）、（Ｂ）は主画面の縦横比が４：３のときに生成された副画面を示す。図７（Ｃ）、（Ｄ）は、コマンド生成部２０５が生成した、主画面の縦横比が１６：９と４：３のときの各コマンド例である。このコマンド例では、主画面の右端のｘ座標は「１３４４」であるのに対し、副画面の左端のｘ座標は「１４００」であるから、主画面の表示位置と副画面の表示位置は重ならない。従って、図７（Ｃ）、（Ｄ）のコマンド例では、合成モードは主画面優先モードとなっているが、合成モードは主画面優先及び副画面優先のどちらでもよい。
【００４０】
図７（Ｅ）は、映像表示装置１００ａの表示パネル１２８に表示される主画面の縦横比が１６：９のときの主画面と副画面を示す。図７（Ｆ）は、映像表示装置１００ａの表示パネル１２８に表示される主画面の縦横比が４：３のときの主画面と副画面を示す。この場合でも、映像生成装置２００ａが映像表示装置１００ａで表示される画面のレイアウトを行うという本実施の形態の特徴は、図６の例と変わらない。
【００４１】
上記のように主画面の映像と副画面の映像とを映像表示装置１００ａの表示パネル１２８上で適切にレイアウトするには、主画面の画面縦横比の情報が必要である。主画面はテレビ放送信号の映像もしくは外部入力の映像を表示する画面なので、その画面縦横比は、４：３か１６：９のいずれかである。
【００４２】
ここで、もし、映像表示装置１００ａ側で画面をレイアウトするなら、映像表示装置１００ａに対し映像生成装置２００ａは副画面の表示要素を個々に通信する必要がある。例えば、既存のドアホンの場合、ドアホン映像とメッセージのような付随情報を分離して映像表示装置１００ａに送らないと、映像表示装置１００ａは適切なレイアウトで表示することができない。
【００４３】
それに対して、本実施の形態では映像生成装置２００ａは映像構成部２０３をもち、映像構成部２０３により、主画面と副画面のレイアウトを示すコマンドを副画面の映像信号と共に映像表示装置１００ａに供給するようにしているため、映像表示装置１００ａにおいて主画面の映像と副画面の映像とが適切にレイアウトされた表示が可能になる。主画面の画面縦横比は高々２種類なので、状態情報取得は容易である。
【００４４】
また、レイアウトの結果、副画面が単純な矩形の画面にならず、Ｌ字形の画面になったとしても、合成モードを主画面優先として主画面と副画面とを重ねあわすようにすればよい。この場合は、映像生成装置２００ａからはコマンドに加え、常に主画面と副画面とを重ねあわせたときに矩形領域で表示される副画面の映像信号のみを送出すればよいので、映像生成装置２００ａと映像表示装置１００ａ間の通信が単純化される。すなわち、映像構成部２０３は映像生成部２０２から入力された種々の情報を合成して、単純な矩形領域の映像信号を生成するという機能を持つため、上記通信が単純化される。
【００４５】
次に、本発明になる映像表示装置の第１の実施の形態の構成について説明する。
【００４６】
図８に示すように、第１の実施の形態の映像表示装置１００ａは、アンテナ端子１０１、外部入力端子１０２、１０３、１０４、副画面入力端子１０５、コマンド入出力端子１０６、チューナ部１２０、デコーダ部１２１、入力状態情報管理部１２２、コマンド通信部１２３、主画面映像変換部１２４、副画面映像変換部１２５、報知情報生成部１２６、画面合成部１２７、表示パネル１２８から構成される。副画面入力端子１０５は、映像生成装置２００ａの映像出力端子２１０に接続され、コマンド入出力端子１０６は、映像生成装置２００ａのコマンド入出力端子２１１に接続される。
【００４７】
チューナ部１２０は、アンテナ端子１０１から入力されたテレビ放送信号を選局受信する。デコーダ部１２１は、チューナ部１２０で選局受信して得られた圧縮動画信号を復号（デコード）する。入力状態情報管理部１２２は、デコーダ部１２１で復号された動画像信号と、外部入力端子１０２、１０３、１０４から入力された信号とのうち、いずれか１つの信号を選択する。入力状態情報管理部１２２は、また、現在主画面として表示される映像の縦横比や、ユーザが副画面表示を許可しているかどうかを管理しており、この情報をコマンド通信部１２３に送る。
【００４８】
一方、コマンド通信部１２３は、映像生成装置２００ａから送信されたコマンドをコマンド入出力端子１０６を介して受信し、その受信コマンドを主画面映像変換部１２４、副画面映像変換部１２５、報知情報生成部１２６及び画面合成部１２７に供給する。従来の映像表示装置では、これらの主画面映像変換や画面合成を行うために外部のコマンドで指示を出すことはなかった。これに対し、本実施の形態では、外部からのコマンドが上記のように主画面映像変換部１２４や画面合成部１２７に供給され、主画面映像変換や画面合成にコマンドを使用するという点が従来の映像表示装置と大きく異なる。
【００４９】
主画面映像変換部１２４は、入力状態管理部１２２から選択出力された映像信号に対して、コマンド通信部１２３からのコマンドの指示に基づいて主画面の映像サイズ、表示位置、スキャン変換を行って、主画面で表示する映像信号（これを主画面映像信号というものとする）を生成する。
【００５０】
副画面映像変換部１２５は、副画面入力端子１０５を介して受信した副画面で表示される映像信号（これを副画面映像信号というものとする）に対して、コマンド通信部１２３からのコマンドの指示に基づいて、副画面の映像サイズ、表示位置、スキャン変換を行って、副画面映像信号を生成する。
【００５１】
画面合成部１２７は、主画面映像変換部１２４から出力された主画面映像信号及び副画面映像変換部１２５から出力された副画面映像信号とを一画面の映像信号に合成する。合成の指示は図３のレイアウトコマンドに基づき行われる。表示パネル１２８は主画面映像信号と副画面映像信号との合成映像信号を１画面にて同時に表示する。
【００５２】
ところで、例えば副画面の映像表示が「ネットワークに接続されている選択機からの選択終了イベントによるメッセージ映像の生成及び表示」の場合、テレビコンテンツとは関係なく（非同期）に選択終了イベントにより画面にメッセージが表示される。この場合、画面が突然変化するとユーザがその変化を見逃してしまい、混乱する可能性がある。
【００５３】
そのために、報知情報生成部１２６は、コマンド通信部１２３からコマンドを受取り、ユーザに主画面と副画面の構成が変更されることを通知する。通知の手段としては、（１）主画面、副画面の位置、サイズが変更されるとき、数秒間掛けてアニメーションのように変化させる、（２）変化の時に画面をフラッシュさせる、（３）変化の時に報知音を鳴らす、などの手段が考えられる。なお、通知の手段としては、これらに限らず、ユーザが画面構成が変化したことを容易に認知する方法であればよい。
【００５４】
このように、本実施の形態によれば、ドアホンなどの映像生成装置２００ａから、副画面の映像入力と同時に主画面と副画面とのレイアウト情報を映像表示装置１００ａに入力することにより、ユーザがリモコンなどを使い映像表示装置１００ａに指示することなく、映像生成装置２００ａからの副画面映像信号と放送等の既に表示されていた主画面映像信号とを、一つの画面内で自動的に主画面と副画面の二画面同時に表示することが可能になる。
【００５５】
また、本実施の形態によれば、映像生成装置１００ａの情報と、主画面映像とを合わせて、表示画面に最適なレイアウトでの映像表示が可能になる。更に、本実施の形態によれば、映像表示装置１００ａ内部の構造を変更することなしに、多くの映像表示装置に対応することが可能になる。
【００５６】
（第２の実施の形態）
図９は、本発明になる映像生成装置の第２の実施の形態のブロック図、図１０は、本発明になる映像表示装置の第２の実施の形態のブロック図、図１１は、映像表示装置の状態情報を示す。図９、図１０中、図２、図８と同一構成部分には同一符号を付し、その説明を省略する。図９に示す第２の実施の形態の映像生成装置２００ｂは、図１に示した映像生成装置２００に相当する映像生成装置である。図１０に示す第２の実施の形態の映像表示装置１００ｂは、図１に示した映像表示装置１００に相当する映像表示装置である。
【００５７】
図１の映像生成装置２００は、単に非同期のイベントを受けて映像を表示するだけでなく、ユーザの入力が必要な場合もある。例えば、前述のインターネットからのＲＳＳメッセージ受信イベントによる、Ｗｅｂページ映像の生成及び表示の場合、表示されたＷｅｂページの映像に関して，リンクを選択し、リンクをクリックするなどの操作を行うことが必要である。一般的に、これらの操作はリモコンを通じて行う。従って、第１の実施の形態では、映像表示装置１００ａ及び映像生成装置２００ａの両方に別々にリモコンが必要であった。
【００５８】
これに対し、本実施の形態では、映像表示装置１００ｂのリモコンで映像生成装置２００ｂを操作できると共に、映像表示装置１００ｂに表示された主画面、副画面に関する制御も同じリモコンで行うことができる。
【００５９】
図９において、映像生成装置２００ｂは、映像表示の更新のきっかけになるイベントを処理するイベント処理部２０１、表示する映像信号を生成する映像生成部２１２、生成した映像をレイアウトする映像構成部２０３、映像表示装置１００ｂのコマンド通信部１２３と通信するコマンド通信部２０６、コマンド通信部２０６から、映像表示装置１００ｂの表示状態情報を取得するためのコマンドを受信するコマンド受信部２１３、主画面のレイアウトを通知するためのコマンドを生成するコマンド生成部２０５、映像出力端子２１０、コマンド入出力端子２１１から構成される。
【００６０】
映像生成装置２００ｂのコマンド受信部２１３は、図１０の映像表示装置１００ｂから送信されたコマンドをコマンド入出力端子２１１及びコマンド通信部２０６を介して受信し、映像表示装置１００ｂの状態情報を取得する。映像表示装置１００ｂの状態情報は、図１１に示すように、主画面の縦横比が１６：９であるか４：３であるかの情報、映像表示装置１００ｂの電源がオン（ＯＮ）であるかオフ（ＯＦＦ）であるかの情報、及び副画面表示が許可されているか否かの情報に、映像表示装置１００ｂからのリモコンイベントがあるか否かの情報が追加されている。また、コマンド受信部２１３は、映像表示装置１００ｂから受信したコマンドが映像表示装置１００ｂに関するコマンドの場合は映像構成部２０３にコマンドを送り、リモコンイベントに関するコマンドの場合は、映像生成部２１２にコマンドを送る。
【００６１】
一方、映像表示装置１００ｂは、図１０に示すように、図８に示した映像表示装置１００ａの構成に、リモコン受光素子１０９、リモコン受信部１３０、リモコン振分部１３１を追加した構成である。映像表示装置１００ｂは、映像生成装置２００ｂに対して自装置の状態情報と共に、映像表示装置１００ｂからのリモコンイベント（リモコンメッセージ）を通知する。
【００６２】
図１０において、リモコン受光素子１０９は、ＴＶリモコン１９０から送信された赤外光であるリモコン波を受光して光電変換してリモコン信号を生成し、そのリモコン信号をリモコン受信部１３０に供給する。リモコン受信部１３０は、リモコン受光素子１０９からのリモコン信号を受信処理してリモコン振分部１３１に供給する。
【００６３】
リモコン振分部１３１は、入力されたリモコン信号に基づいて、リモコンイベントを振り分ける。リモコンイベントは、（１）外部入力を切り替えるイベント、（２）映像表示装置１００ｂを操作するイベント、（３）操作対象を主画面か副画面かを切り替えるイベント、（４）主画面もしくは副画面を操作するイベント、の４種類に分類される。
【００６４】
このうち外部入力を切り替えるイベントは、リモコン振分部１３１から入力状態情報管理部１２２に送られる。また、音量など、映像表示装置１００ｂそのものを操作するイベントに関しては一般的な映像表示装置と変わらないので、図示しない。操作対象を主画面か副画面かを切り替えるイベントは、リモコン振分部１３１から画面合成部１２７に通知されると共に、リモコン振分部１３１で管理している。主画面もしくは副画面を操作するイベントは、リモコン振分部１３１で管理している情報をもとにデコーダ部１２１もしくはコマンド通信部１２３に送られる。
【００６５】
コマンド通信部１２３は、映像表示装置１００ｂに関するコマンドや、リモコンイベントに関するコマンドを、映像生成装置２００ｂに送る。これにより、ＴＶリモコン１９０で映像生成装置２００ｂを制御することができる。
【００６６】
なお、第２の実施の形態において、映像表示装置１００ｂの副画面入力端子１０５とコマンド入出力端子１０６をＨＤＭＩ端子で一つにまとめてもよい。同様に、映像生成装置２００ｂの映像出力端子２１０とコマンド入出力端子２１１をＨＤＭＩ端子で一つにまとめてもよい。これらの場合はコマンド入出力はＨＤＭＩ−ＣＥＣを使用する。ＨＤＭＩ−ＣＥＣでは＜ａｃｔｉｖｅ  ｓｏｕｒｃｅ＞という、コマンドを入力した端子に入力を切り替えるコマンドがあるが、図３のように拡張することで、第２の実施の形態を実現することができる。
【産業上の利用可能性】
【００６７】
本発明は、映像表示装置としてのＴＶ受信機と映像生成装置としての外部機器とを連携させることで、（１）ドアホンのチャイム押下イベントによる、ドアホン映像の生成及び表示、（２）ネットワークに接続されている選択機からの選択終了イベントによるメッセージ映像の生成及び表示、（３）インターネットからのＲＳＳメッセージ受信イベントによる、Ｗｅｂページ映像の生成及び表示、（４）テレビ電話の着信による相手映像の生成及び表示、（５）指定時刻が到来したことを示す時刻メッセージ映像の生成及び表示、などに適用できる。
【図面の簡単な説明】
【００６８】
【図１】本発明の映像生成装置及び映像表示装置を含む全体システムの構成図である。
【図２】本発明の映像生成装置の第１の実施の形態のブロック図である。
【図３】画面のレイアウトコマンドの一例を示す図である。
【図４】図２の映像生成装置の動作説明用フローチャートである。
【図５】本発明の映像表示装置の第１の実施の形態の状態情報を表す図である。
【図６】レイアウトの第１の例の説明図である。
【図７】レイアウトの第２の例の説明図である。
【図８】本発明の映像表示装置の第１の実施の形態のブロック図である．
【図９】本発明の映像生成装置の第２の実施の形態のブロック図である。
【図１０】本発明の映像表示装置の第２の実施の形態のブロック図である。
【図１１】本発明の映像表示装置の第２の実施の形態の状態情報を表す図である。
【符号の説明】
【００６９】
１００、１００ａ、１００ｂ  映像表示装置
１０１  アンテナ端子
１０２〜１０４  外部入力端子
１０５  副画面入力端子
１０６  コマンド入出力端子
１０９  リモコン受光素子
１２０  チューナ部
１２１  デコーダ部
１２２  入力状態情報管理部
１２３  コマンド通信部
１２４  主画面映像変換部
１２５  副画面映像変換部
１２６  報知情報生成部
１２７  画面合成部
１２８  表示パネル
１３０  リモコン受信部
１３１  リモコン振分部
１９０  ＴＶリモコン
２００、２００ａ、２００ｂ  映像生成装置
２０１  イベント処理部
２０２  映像生成部
２０３  映像構成部
２０４  コマンド受信部
２０５  コマンド生成部
２０６  コマンド通信部
２１０  映像出力端子
２１１  コマンド入出力端子
３００  ＤＶＤ再生機
３１０  ゲーム機
【図１】
2010102053.tif 000003
【図２】
2010102053.tif 000004
【図３】
2010102053.tif 000005
【図４】
2010102053.tif 000006
【図５】
2010102053.tif 000007
【図６】
2010102053.tif 000008
【図７】
2010102053.tif 000009
【図８】
2010102053.tif 000010
【図９】
2010102053.tif 000011
【図１０】
2010102053.tif 000012
【図１１】
2010102053.tif 000013